(57)【要約】【課題】  レーザドライバに生じる発熱による光学素子の位置ずれを防止し、レーザドライバの発熱による光学特性への影響を抑制することができ、しかも放熱板が小型化であっても充分な放熱効果を得ることができる光ヘッド装置およびこの光ヘッド装置を搭載したディスクドライブ装置を提供すること。【解決手段】  光ヘッド装置１では、光ディスク側に配設され対物レンズ駆動装置１６を塵等から保護する防塵カバー１９を有し、この防塵カバー１９を銅またはアルミまたはステンレス等の熱伝導性に優れた材料によって形成し、その一部を対物レンズ駆動装置１６に近接配置したレーザドライバＩＣ２２まで延設し、レーザドライバＩＣ２２から発生する熱を放散可能な放熱部１９ａとしている。【選択図】      図２
2006309869.tif 000002
【特許請求の範囲】
【請求項１】
光源としてのレーザ発光素子と、該レーザ発光素子からの出射光を光ディスクに収束させる対物レンズを有し該対物レンズを駆動する対物レンズ駆動装置と、前記レンズ発光素子を駆動するレーザドライバＩＣ等の発熱体と、該発熱体と前記レーザ発光素子と前記対物レンズ駆動装置とが搭載されるフレームとを備え、前記光ディスクの記録および再生の少なくともいずれか一方を行う光ヘッド装置において、
前記対物レンズ駆動装置は、光ディスク側に配設され前記対物レンズ駆動装置を塵等から保護する防塵カバーを有し、該防塵カバーを熱伝導性に優れた材料によって形成し、その一部を前記発熱体まで延設し、該発熱体から発生する熱を放散可能な放熱部としたことを特徴とする光ヘッド装置。
【請求項２】
請求項１において、前記防塵カバーは、銅またはアルミまたはステンレス製の金属板であることを特徴とする光ヘッド装置。
【請求項３】
請求項１または２のいずれかにおいて、前記放熱部は、前記レーザドライバＩＣに当接して設けられるとともに、前記防塵カバーは、前記レーザ発光素子から離間して配設されていることを特徴とする光ヘッド装置。
【請求項４】
請求項１ないし３のいずれかにおいて、前記対物レンズ駆動装置と前記レーザドライバＩＣとは、前記光ディスクの半径方向に近接配置され、その半径方向の外側にレーザドライバＩＣが配設されていることを特徴とする光ヘッド装置。
【請求項５】
請求項１ないし４記載の光ヘッド装置を搭載したディスクドライブ装置において、
前記光ディスクを載置するトレイを有し、該トレイは、前記光ヘッド装置の可動方向に沿って開口し前記対物レンズが前記光ディスクに対向可能に露出する開口部を有し、該開口部は、前記光ディスクに対向可能に前記防塵カバーが露出していることを特徴とするディスクドライブ装置。
【発明の詳細な説明】
【技術分野】
【０００１】
本発明は、ＣＤやＤＶＤなどの光ディスクの記録、再生に用いられる光ヘッド装置に関する。更に詳しくは、光ヘッド装置が備えるレーザ発光素子を駆動するレーザドライバの放熱構造に関する。
【背景技術】
【０００２】
ＣＤやＤＶＤ等の光ディスクの記録、再生に用いられる光ヘッド装置は、光源としてのレーザ発光素子を有する光学系と、レーザ発光素子を駆動するレーザドライバＩＣと、光学系が搭載されるフレームと、光学系を保護するためフレームに固定されるカバーなどを備えている。
【０００３】
この種の光ヘッド装置では、光学系を保護するためのカバーは、一般にステンレス製の金属板から形成されており、このカバーを用いて、レーザドライバに生じる発熱を放散している。すなわち、従来の光ヘッド装置では、レーザドライバの放熱板を兼用したカバーが使用されている。図６および図７を用いて、具体的に、従来の光ヘッド装置の構成を説明する。
【０００４】
図６に示すように、従来の光ヘッド装置１０１は、光源としてのレーザ発光素子１０２と、レーザ発光素子１０２を駆動するため、回路基板１０３上に設けられたレーザドライバＩＣ１０４と、レーザ発光素子１０２を有する光学系（詳細は図示省略）が搭載されて固定されるフレーム１０５とを備えている。そして、図７に示すように、フレーム１０５には、光学系を保護するため、ステンレス鋼板からなるカバー１０６が取付ねじ１０８によって固定されている。
【０００５】
カバー１０６は、図７から明らかなようにフレーム１０５の底面側の大半部分を覆うように固定されており、このカバー１０６によって、光学系を構成する光学素子が覆われている。また、カバー１０６は、伝熱性と弾性とを有する図示しない伝熱シートを介してレーザドライバＩＣ１０４に接触している。従って、レーザドライバＩＣ１０４で生じた発熱は、伝熱シートを介してフレーム１０５に放散されるようになっており、カバー１０６は、レーザドライバＩＣ１０４の放熱板としての機能を備えている。
【０００６】
なお、レーザドライバＩＣの発熱をより積極的に放熱するための方法として、特許文献１では、レーザドライバＩＣを光ディスク側に配設し、光ディスクの回転により空気を拡散し、レーザドライバＩＣからの発熱を放熱部材を介して空気中へ放散するようにしている。
【特許文献１】特開２００４−１９２７５１号公報
【発明の開示】
【発明が解決しようとする課題】
【０００７】
従来の光ヘッド装置１０１の構成を採用した場合には、カバー１０６がレーザドライバＩＣ１０４の放熱板としての機能を有していることから、レーザドライバＩＣ１０４の温度上昇に伴い、カバー１０６の温度が上昇する。このカバー１０６は、光学系が搭載されたフレーム１０５の底面側の大半部分を覆っているため、カバー１０６の温度上昇に伴って、フレーム１０５全体の温度も上昇する。また、カバー１０６の温度上昇に伴って、カバー１０６に覆われるように配置された光学素子の温度も上昇する。
【０００８】
ここで、近年の光ディスクの高記録密度化や記録速度の高速化に伴い、レーザ発光素子を駆動するレーザドライバＩＣ１０４に生じる発熱量が増加している。一方で、光ヘッド装置の小型化および薄型化に伴って放熱板も小型化されている。故に、フレーム１０５全体の上昇温度や、カバー１０６に覆われるように配置された光学素子の上昇温度も高くなるため、光ヘッド装置１０１の光学特性に影響を与えてしまうという問題が顕在化してきている。すなわち、フレーム１０５の温度上昇等によって、光学系を構成する光学素子の固定位置にずれが発生し、光ヘッド装置１０１の光学特性に影響を与えてしまうという問題が顕在化してきている。
【０００９】
また、特許文献１では、レーザドライバＩＣを光ディスク側に設け、カバーとは別部材となる放熱部材により放散させることにより光学素子への悪影響を回避することはできるが、放熱部材のジッタ方向に対向する両腕部がアクチュエータ（対物レンズ駆動装置）を避けるようにコ字状に形成されており、外形が大型の割には放熱面積が得られず、放熱効果が低いという問題がある。また、レーザドライバＩＣ専用の放熱部材を別途設ける必要があり、部品点数が増加するという問題がある。さらに、ノートパソコン等に用いられる薄型の光ヘッド装置では、放熱部材が光ディスクが載置されるトレイの開口から露出しないため、冷却効果が低いという問題がある。さらにまた、放熱部材のジッタ方向に対向する両腕部がトレイに干渉しないように構成する必要があり、トレイの光ディスクを載置する載置部を回転軸方向に低く抑えることができず、ディスクドライブ装置の薄型化の妨げになるという問題がある。
【００１０】
そこで、本発明の課題は、レーザドライバに生じる発熱による光学素子の位置ずれを防止し、レーザドライバの発熱による光学特性への影響を抑制することができ、しかも放熱板が小型化であっても充分な放熱効果を得ることができる光ヘッド装置およびこの光ヘッド装置を搭載したディスクドライブ装置を提供することにある。
【課題を解決するための手段】
【００１１】
上記の課題を解決するため、本発明では、光源としてのレーザ発光素子と、該レーザ発光素子からの出射光を光ディスクに収束させる対物レンズを有し該対物レンズを駆動する対物レンズ駆動装置と、前記レンズ発光素子を駆動するレーザドライバＩＣ等の発熱体と、該発熱体と前記レーザ発光素子と前記対物レンズ駆動装置とが搭載されるフレームとを備え、前記光ディスクの記録および再生の少なくともいずれか一方を行う光ヘッド装置において、前記対物レンズ駆動装置は、光ディスク側に配設され前記対物レンズ駆動装置を塵等から保護する防塵カバーを有し、該防塵カバーを熱伝導性に優れた材料によって形成し、その一部を前記発熱体まで延設し、該発熱体から発生する熱を放散可能な放熱部としたことを特徴とする。
【００１２】
本発明における発熱体とは、レーザドライバＩＣの他、レーザ発光素子および受光素子等、駆動によって発熱する部材の一部または全部を含むものであってもよい。
【００１３】
本発明において、防塵カバーを、光学素子の少なくとも一部を保護するためにフレームに固定される保護カバーとは別体で構成した場合には、防塵カバーによってレーザドライバＩＣに生じる発熱が放散され、且つ、保護カバーにはレーザドライバＩＣに生じる発熱が放散されない。従って、光学素子を適切に保護すべく、従来のように、フレームの底面側の大半部分を覆うようにカバーを形成しても、フレーム全体の温度上昇や、カバーに覆われるように配置された光学素子の温度上昇を抑制することができる。
【００１４】
本発明において、前記防塵カバーは、銅またはアルミまたはステンレス製の金属板であることが好ましい。このように構成すると、放熱性の高い銅板またはアルミまたはステンレス製の板によってレーザドライバＩＣに生じる発熱を効果的に放散することができる。
【００１５】
本発明において、前記放熱部は、前記レーザドライバＩＣに当接して設けられるとともに、前記防塵カバーは、前記レーザ発光素子から離間して配設されていることが好ましい。ここで、レーザドライバＩＣの発熱はレーザ発光素子の発熱と比較して大きいため、防塵カバーが小型化されると、レーザドライバＩＣからの放熱に冷却が追いつかず放熱部材の温度が上昇してしまう。このように構成することにより、防塵カバーの温度が上昇し、レーザ発光素子の温度より上昇した場合であっても、レーザドライバＩＣから放散された熱が防塵カバーを介してレーザ発光素子へ放散されることを回避できる。
【００１６】
本発明において、前記対物レンズ駆動装置と前記レーザドライバＩＣとは、前記光ディスクの半径方向に近接配置され、その半径方向の外側にレーザドライバＩＣが配設されていることが好ましい。このように構成すると、光ディスクは半径方向の内側と比較して外側の回転速度が大きいため空気の拡散効率が大きい。故に、光ディスクの半径方向の外側にレーザドライバＩＣを配設することで空気冷却による放熱効果を向上することができる。
【００１７】
本発明の光ヘッド装置を搭載したディスクドライブ装置において、前記光ディスクを載置するトレイを有し、該トレイは、前記光ヘッド装置の可動方向に沿って開口し前記対物レンズが前記光ディスクに対向可能に露出する開口部を有し、該開口部は、前記光ディスクに対向可能に前記防塵カバーが露出していることが好ましい。このように構成すると、防塵カバーが、光ディスクが載置されるトレイの開口から露出するので、空気の流れがトレイによって遮られない。従って、空気の拡散によって防塵カバーからの熱が滞留することがないので、より一層の放熱効果を得ることができる。
【発明の効果】
【００１８】
以上説明したように、本発明における対物レンズ駆動装置は、光ディスク側に配設され対物レンズ駆動装置を塵等から保護する防塵カバーを有し、この防塵カバーを熱伝導性に優れた材料によって形成し、その一部を対物レンズ駆動装置に近接配置したレーザドライバＩＣまで延設し、レーザドライバＩＣから発生する熱を放散可能な放熱部としている。そのため、防塵カバーを放熱部材として用いることにより、放熱面積を確保することが可能となり、大きな放熱効果を得ることができる。しかも、防塵カバーにより放熱部材を兼用させることで部品点数の削減が図れる。
【発明を実施するための最良の形態】
【００１９】
以下、本発明を実施するための最良の形態を図面に基づいて説明する。
【００２０】
図１は、本発明の実施の形態にかかる光ヘッド装置を斜め上方から見た斜示図である。図２は、図１に示す光ヘッド装置から防塵カバーを取り外し、対物レンズ駆動装置を露出した状態を斜め上方から見た斜示図である。図３は、図１に示す光ヘッド装置の光学系の構成を説明する説明図である。
【００２１】
（光ヘッド装置の構成）
本形態にかかる光ヘッド装置１は、ＣＤやＤＶＤ等の光ディスク３０（図４参照）に対する情報記録や情報再生を行うものであり、以下に説明する光学系３１等が搭載されるフレーム１５を備えている。このフレーム１５は、ディスクドライブ装置２３（図４参照）に対して相互に平行となるように取り付けられ図示しない２本のガイドシャフトに沿って摺動可能に取り付けられている。尚、本明細書においては、光ディスク３０の半径方向（トラッキング方向）をＸ方向、光ディスク３０の接線方向（ジッタ方向）をＹ方向、光ディスク３０の直交方向（フォーカシング方向）をＺ方向と定義する。
【００２２】
図３に示すように光ヘッド装置１における光学系３１は、光源として、ＣＤ用の７８０ｎｍ〜８００ｎｍの長波長レーザ光（第１のレーザ光）を出射する第１のレーザ発光素子２と、ＤＶＤ用の６３０ｎｍまたは６５０ｎｍの短波長レーザ光（第２のレーザ光）を出射する第２のレーザ発光素子３とを備えている。
【００２３】
本形態における光学系３１では、第１のレーザ光及び第２のレーザ光は、光路合成用光学素子であるプリズム６によって、光ディスク３０へ向かう共通光路１４へ導かれるようになっている。本形態において、第１のレーザ発光素子２から出射される第１のレーザ光Ｌ１、および第２のレーザ発光素子３から出射される第２のレーザ光Ｌ２を光路合成用光学素子であるプリズム６によって、光ディスク３０に向かう共通光路１４に導くようになっており、この共通光路１４には、コリメータレンズ８と、コリメータレンズ８からの出射光を光ディスク３０に向けて立ち上げる立上げミラー９と、コリメータレンズ８で平行光にされたレーザ光を光ディスク３０に収束させる対物レンズ１０とが、この順番で配置されている。これらの光学素子のうち、対物レンズ１３は、後述の対物レンズ駆動装置１６のレンズホルダ上に搭載され、このレンズホルダは、ホルダ支持部材に片持ちされたワイヤによって駆動可能に支持されている。
【００２４】
本形態の光ヘッド装置１では、第１のレーザ発光素子２から出射された第１のレーザ光Ｌ１、および第２のレーザ発光素子３から出射された第２のレーザ光Ｌ２をプリズム６に導くにあたって、第１のレーザ発光素子２から光記録媒体に向かう光路上には、第１のレーザ光Ｌ１をプリズム６に向けて部分反射するとともに、光ディスク３０からの戻り光を部分透過して受光素子１３に向かわせる戻り光分離用光学素子としてのハーフミラ−７が配置されている。また、第２のレーザ発光素子３からプリズム６に至る光路上には、グレーティング１１が配置されている。さらに、プリズム６に対して、ハーフミラー７と反対側には、モニター用の受光素子１７が配置されている。さらにまた、ハーフミラー７と受光素子１３との間には、非点収差発生素子としてのセンサレンズ１２が配置されている。  
【００２５】
グレーティング１１は、所定の回折特性が付与されており、第２のレーザ発光素子３から出射された第２のレーザ光Ｌ２を３ビームに分割することにより、周知の３ビーム法またはＤＰＰ法によってトラッキングエラー検出を行う。
【００２６】
このように本形態の光ヘッド装置１においては、ＣＤ用およびＤＶＤ用の２種類のレーザ発光素子２、３を使用して、記録形態の異なるＣＤおよびＤＶＤ等の記録媒体を記録または再生し、且つ、コリメートレンズ８、立ち上げミラー９、および対物レンズ１０によって共通光路１４を形成しているので、各レーザ発光素子２、３に対応した個別独立の光学系を構成する必要はない。
【００２７】
但し、このような光ヘッド装置１では、光学素子の共通化を図ることができる代わりに、第１のレーザ発光素子２から受光素子１３に到る第１の光路と、第２のレーザダイオード５から受光素子９に到る第２の光路とを空間的に等距離とすることができず、本形態のように、第１のレーザダイオード４から受光素子９に到る第１の光路を、第２のレーザダイオード５から受光素子９に到る第２の光路より長くせざるを得ないことがある。
【００２８】
そこで、本形態では、第１の光路上のうち、共通光路１４から外れた位置、すなわち、プリズム６とハーフミラー７との間に、第１のレーザ光Ｌ１の焦点位置を第２のレーザ光Ｌ２の焦点位置に調整する正のパワーを備えた率変換レンズ１８が配設されている。
【００２９】
また、光ヘッド装置１は、対物レンズ１０をフォーカシング方向（Ｚ方向）及びトラッキング方向（Ｘ方向）へ駆動する対物レンズ駆動装置１６を備えており、フレーム１５の上面側に取り付けられている。対物レンズ駆動装置１６は、トラッキング駆動コイル、トラッキング駆動磁石やフォーカシング駆動コイル、フォーカシング駆動磁石等を備えるが、その構成は周知の構成であるため、詳細な説明は省略する。
【００３０】
本形態におけるフレーム１５は、例えば、ダイキャストで成形されたアルミ製のフレームであり、底面側に光学系３１の一部が搭載される図示しない凹部を備えている。この凹部には、プリズム６、ハーフミラー７、コリメータレンズ８、立上げミラー９等の光学系３１を構成する光学素子の一部が固定され、これらの光学素子が、図示しない保護カバーによって覆われている。また、フレーム１５の側面には、第１のレーザ発光素子２および第２のレーザ発光素子３を固定するための固定部（図示せず）が形成されている。なお、フレーム１５の上面側に、レーザドライバＩＣ２２が載置される凹部が形成されており、この凹部に配設されたレーザドライバＩＣ２２は、対物レンズ駆動装置１６に近接配置されている。
【００３１】
対物レンズ駆動装置１６の構成部品は防塵カバー１９によって覆われており、防塵カバー１９はネジ２０を用いてフレーム１５に被着されている。ただし、対物レンズ１０は防塵カバー１９の上面に形成された開口１９ｃから露出し、光ビームの通過を妨げないようになっている。
【００３２】
図１および図２に示すように、防塵カバー１９は、トラッキング方向（Ｘ方向）の断面が略Ｕ字状に形成され、その側壁部の開放端側から略直角に折曲されて外方に延設された鍔部１９ｄ、１９ｅが形成されている。すなわち、本形態では、対物レンズ駆動装置１６がフォーカシング方向への駆動によってフレーム１５の上面から若干突出するため、この対物レンズ駆動装置１６のフォーカシング方向への駆動による干渉を避けるように断面が略Ｕ字状に形成されている。ただし、略Ｕ字状に形成された防塵カバー１９の底面は、対物レンズ駆動装置１６がフォーカシング方向に規定値を超えて駆動した際、上限を規定する深さに形成されている。
【００３３】
鍔部１９ｄ、１９ｅは、フレーム１５の上面側に当接しており、一方の鍔部１９ｄには、ジッタ方向の略半分が、さらに外方に延設されレーザドライバＩＣ２２の上面に面接触する放熱部１９ａになっている。すなわち、防塵カバー１９は、例えば銅またはアルミまたはステンレス等の熱伝導性に優れた金属板を曲げ加工することで形成されており、レーザドライバＩＣ２２の上面に面接触することによりレーザドライバＩＣ２２に生じる発熱が放散される放熱部１９ａが形成されている。
【００３４】
より具体的には、レーザドライバＩＣ２２は、その上面がフレームの上面より若干低くなるようになるようにして凹部に配設されているため、放熱部１９ａと鍔部１９ｄとの間にはその高低さ分の段部１９ｆが形成されており、この段部は、放熱部１９ａがレーザドライバＩＣ２２の上面に付勢した状態で面接触可能な寸法に形成されている。なお、放熱部１９ａはレーザドライバＩＣ２２の上面を全て覆う大きさに形成されているため、レーザドライバＩＣ２２から発生した熱が、放熱部１９ａから効率良く防塵カバー１９全体に放散することができる。また、レーザドライバＩＣ２２の上面と放熱部１９ａとの間に伝熱シートや放熱ゲル等放熱機能を持った材料を挟むようにしてもよい。さらに、本形態では、防塵カバー１９が、鍔部１９ｄ、１９ｅに形成したネジ穴１９ｂにネジ２０を係合することによりフレーム１５の上面に固定されている。
【００３５】
図４は、図１に示す光ヘッド装置を搭載したディスクドライブ装置の一部を模式的に示し、斜め上方から見た斜視図である。図５は、図４に示すディスクドライブ装置において、その一部を拡大して示す拡大図である。
【００３６】
本形態のディスクドライブ装置２３は、ノートパソコン等に用いられるものであり、光ディスク３０を載置し、図示しない筐体に進退自在に保持されたトレイ２１を有している。トレイ２１は、樹脂製のフレームで構成され、裏側に配設された光ヘッド装置１の可動方向に沿って開口し、対物レンズ１０が光ディスク３０に対向可能に露出する開口部２０を有している。なお、ディスクドライブ装置２３には、光ディスク３０の載置部２１ａの略中心に光ディスク３０を回転駆動させるスピンドルモータ２４が配設されている。
【００３７】
開口部２０からは、対物レンズ１０以外にスピンドルモータ２４の一部および防塵カバー１９の一部が露出している。この防塵カバー１９の露出した部分は、若干の隙間を介して光ディスク３０に対向しているため空気冷却による冷却効率が高く、放熱部１９ａから防塵カバー１９に放散された熱を効率良く空気冷却させる冷却部１９ｇになっている。すなわち、スピンドルモータ２４によって回転駆動された光ディスク３０で発生した空気流は、開口部２０を通して防塵カバー１９の冷却部１９ｇに直接あたり、冷却部１９ｇは空気流によって空気冷却が促進されるためレーザドライバＩＣから防塵カバー１９に放散された熱を効果的に冷却することができる。本形態の場合、放熱部１９ａと冷却部１９ｇとが近接配置されているため、放熱部１９ａに放散された熱を冷却部１９ｇにより効率良く冷却することができる。
【００３８】
また、上述の通り対物レンズ駆動装置１６とレーザドライバＩＣ２２とが、光ディスク３０の半径方向に近接配置され、その半径方向の外側にレーザドライバＩＣ２２が配設されている。ここで、スピンドルモータ２４によって回転駆動された光ディスク３０で発生した空気流は、光ディスク３０の外周側の方が内周側より強い。故に、本形態では、レーザドライバＩＣ２２が開口部２０から露出していないが、強い空気流が開口部２０を通してトレイ２１の裏側に流れ込み、空気が拡散されることにより放熱部１９ａの上面からの放散を促進することができる。
【００３９】
（本形態の効果）
以上説明したように、本形態における光ヘッド装置１では、光ディスク３０側に配設され対物レンズ駆動装置１６を塵等から保護する防塵カバー１９を有し、この防塵カバー１９を銅またはアルミまたはステンレス等の熱伝導性に優れた材料によって形成し、その一部を対物レンズ駆動装置１６に近接配置したレーザドライバＩＣ２２まで延設し、レーザドライバＩＣ２２から発生する熱を放散可能な放熱部１９ａとしている。そのため、防塵カバー１９を放熱部材として用いることにより、放熱面積を確保することが可能となり、大きな放熱効果を得ることができる。しかも、防塵カバー１９により放熱部材を兼用させることにより部品点数の削減が図れる。
【００４０】
また、本形態の防塵カバー１９は、光学素子の少なくとも一部を保護するための図示しない保護カバーとは別体で構成されているため、防塵カバー１９によってレーザドライバＩＣ２２に生じる発熱が放散されることになる。故に、保護カバーにはレーザドライバＩＣ２２に生じる発熱が放散されない。従って光学素子を適切に保護すべく、従来のように、フレーム１５の底面側の大半部分を覆うように保護カバーを形成しても、フレーム１５全体の温度上昇や、保護カバーに覆われるように配置された光学素子の温度上昇を抑制することができる。
【００４１】
さらに、本形態において、防塵カバー１９は、銅またはアルミまたはステンレス製の金属板により形成されている。その結果、放熱性の高い銅板またはアルミまたはステンレス製の金属板によってレーザドライバＩＣ２２に生じる発熱を効果的に放散することができる。
【００４２】
さらにまた、本形態において、防塵カバー１９は、レーザ発光素子２、３から離間して設けられている。故に、防塵カバー１９の温度が、レーザ発光素子２、３の温度より上昇しても、レーザドライバＩＣ２２から放散された熱が防塵カバー１９を介してレーザ発光素子２、３側へ放散されない。従って、レーザ発光素子２、３の長期信頼性を確保することができる。
【００４３】
本形態において、対物レンズ駆動装置１６とレーザドライバＩＣ２２とは、光ディスク３０の半径方向に近接配置され、その半径方向の外側にレーザドライバＩＣ２２が配設されているので、レーザドライバＩＣ２２が開口部２０から露出していなくても、強い空気流が開口部２０を通してトレイ２１の裏側に流れ込み、空気が拡散されることにより放熱部１９ａの上面からの放散を促進することができる。
【００４４】
本形態の光ヘッド装置１を搭載したディスクドライブ装置２３において、光ディスク３０を載置するトレイ２１は、光ヘッド装置１の可動方向に沿って開口し対物レンズ１０が光ディスク３０に対向可能に露出する開口部２０を有し、開口部２０からは、光ディスク３０に対向可能に防塵カバー１９が露出している。故に、空気の流れがトレイ２１によって遮られることなく防塵カバー１９にあたる。従って、防塵カバー１９からの熱が空気の拡散によって滞留することがないので、一層放熱効果が高められる。
【００４５】
（他の実施の形態）
上述した形態は、本発明の好適な形態の一例ではあるが、これに限定されるものではなく本発明の要旨を変更しない範囲において種々変形可能である。例えば、上記実施の形態では、発熱体をレーザドライバＩＣ２２としているが、レーザドライバＩＣ２２の他、レーザ発光素子２、３や受光素子１３、フロントモニタ１７としてもよい。
【００４６】
さらに、上述した形態では、放熱部１９ａが、防塵カバー１９の上面に形成された開口１９ｃと並設されているが、放熱部１９ａが、冷却部１９ｇに対し光ディスクの半径方向の外側に並設するように構成してもよい。
【００４７】
さらにまた、上述した形態では、防塵カバー１９が、鍔部１９ｄ、１９ｅに形成したネジ穴１９ｂにネジ２０を係合することによりフレーム１５の上面に固定されているが、必ずしもネジ２０を用いて固定する必要はなく、防塵カバー１９に係合爪を設け、係合爪をフレーム１５に係合させて固定するように構成してもよい。なお、ネジ穴１９ｂの位置は、鍔部１９ｄ、１９ｅに形成する必要は無く、放熱部１９ａを延設し、その先端に形成してもよい。
【図面の簡単な説明】
【００４８】
【図１】本発明の実施の形態にかかる光ヘッド装置を斜め上方から見た斜示図である。
【図２】図１に示す光ヘッド装置から防塵カバーを取り外し、対物レンズ駆動装置を露出した状態を斜め上方から見た斜示図である。
【図３】図１に示す光ヘッド装置の光学系の構成を説明する説明図である。
【図４】図１に示す光ヘッド装置を搭載したディスクドライブ装置の一部を模式的に示し、斜め上方から見た斜視図である。
【図５】図４に示すディスクドライブ装置において、その一部を拡大して示す拡大図である。
【図６】従来技術にかかる光ヘッド装置のカバーを取り外した状態での底面を示す底面図である。
【図７】従来技術にかかる光ヘッド装置の底面を示す底面図である。
【符号の説明】
【００４９】
１  光ヘッド装置
２  第１のレーザ発光素子（レーザ発光素子）
３  第２のレーザ発光素子（レーザ発光素子）
１０  対物レンズ
１５  フレーム
１６  対物レンズ駆動装置
１９  防塵カバー
２０  開口部
２１  トレイ
２２  レーザドライバＩＣ
２３  ディスクドライブ装置
３０  光ディスク
３１  光学系
【図１】
2006309869.tif 000003
【図２】
2006309869.tif 000004
【図３】
2006309869.tif 000005
【図４】
2006309869.tif 000006
【図５】
2006309869.tif 000007
【図６】
2006309869.tif 000008
【図７】
2006309869.tif 000009